(57)【要約】  流体密・断熱タンク（１）は、ベアリング構造（４）と，流体を密封する隔壁および／または断熱隔壁とを備えている。前記流体を密封する隔壁および／または前記断熱隔壁は筒状形状を有していて、垂直壁部（２）と底壁部（３）とを有している。前記垂直壁部は、複数の垂直パネル（８，８’）を有し、前記ベアリング構造は、前記垂直壁部を包囲している。前記底壁部には、複数の矩形部材（５）が設けられており、これら複数の矩形部材（５）は、互いに対応する形状を有しつつ回転された複数のセクタに配置されている。前記複数のセクタのいずれかにおける前記複数の矩形部材の複数の端部が、前記複数の垂直パネル（８）の１つに対して平行または垂直とされている。前記複数の垂直パネルの数は、前記複数のセクタの数の２倍とされている。【選択図】図１
2013508636.tif 000002
【特許請求の範囲】
【請求項１】
（ａ）ベアリング構造（４）と、
（ｂ）流体を密封する隔壁および／または断熱隔壁と、
を備えた流体密・断熱タンク（１）であって、
（イ）前記流体を密封する隔壁および／または前記断熱隔壁が、筒状形状とされていて、垂直壁部（２）と、底壁部（３）とを有し、
（ロ）前記垂直壁部（２）が、複数の垂直パネル（８，８’）を有し、
（ハ）前記ベアリング構造（４）が、前記垂直壁部を包囲しており、
（ニ）前記底壁部（３）が、互いに対応する形状を有しつつ回転させた複数のセクタに配置された複数の矩形部材（５）、を有し、
（ホ）前記複数のセクタのいずれかにおける前記複数の矩形部材（５）の複数の端部が、前記複数の垂直パネル（８）の１つに対して平行または垂直とされ、かつ、
（ヘ）前記複数の垂直パネル（８）の数が、前記複数のセクタの数の２倍とされている
ことを特徴とする流体密・断熱タンク（１）。
【請求項２】
前記複数のセクタが、それぞれ、対称面を有し、前記複数の垂直パネルとして、前記複数のセクタの１つとそれぞれ面しているとともに前記対応するセクタの前記対称面に対して対称に配置されている複数の第１のパネル（８）が設けられていることを特徴とする請求項１に記載のタンク。
【請求項３】
前記複数の垂直パネルとして、複数の第２のパネル（８’）がさらに設けられ、かつ、前記複数の第２のパネルが、それぞれ、２つの隣接したセクタにそれぞれ対応する前記複数の第１のパネル（８）の間に配置されていることを特徴とする請求項２に記載のタンク。
【請求項４】
前記底壁部には、前記複数のセクタの１つにおける前記複数の矩形部材（５）を前記複数の第２のパネル（８’）のうちの１つに接続するための、少なくとも１つの台形形状の構成部品（１０）が設けられていることを特徴とする請求項３に記載のタンク。
【請求項５】
前記台形形状の構成部品（１０）が、前記隣接した第２のパネルに対して垂直に延在している複数のコルゲーション部（７）を有していることを特徴とする請求項４に記載のタンク。
【請求項６】
前記垂直壁部が、５６個の前記垂直パネル（８，８’）を有していることを特徴とする請求項１ないし５のいずれか１項に記載のタンク。
【発明の詳細な説明】
【技術分野】
【０００１】
本発明は、例えば液化天然ガス（ＬＮＧ）を貯蔵するための流体密・断熱タンクに関する。
【背景技術】
【０００２】
フランス国特許第１，４５７，６１７号、フランス国特許第２，７３９，６７５号およびフランス国特許第２，３９８，９６１号には、それぞれ、液化天然ガス（ＬＮＧ）用のタンク記載されている。このタンクは、流体を密封する隔壁と断熱隔壁とを備えている。流体を密封する隔壁は、複数の金属構成部品を用いて構成されており、これらの文献には、タンクの底部においてこれらの金属構成部品をどのように配置すべきかについて様々な解決手段が提唱されている。
【０００３】
フランス国特許第２，９１２，３８５号には、複数の金属構成部品をタンク底部に配置する前述した文献について、特に有利な解決手段が記載されている。タンクの垂直壁部は多角形状とされている。複数の金属構成部品として、複数のセクタに分布している複数の矩形部材が備えられている。各セクタは前記複数の垂直パネルの１つに対応する。複数の接続片が、前記複数のセクタの間に配置されている。かかる配置構成により、必要な構成部品の点数を制限することが可能となる。
【０００４】
前記文献に提唱された解決手段を用いてタンクを設計する場合、多角形部分の辺の数を選択すること、すなわち、複数の垂直パネルと複数のセクタとの点数を選択することが必要である。
【０００５】
コンクリートで構成されたベアリング構造は、多角形状の垂直壁部と多角形部分に外接する円との間の空間を充たさなければならない。多角形部分の辺の数が増えるほど、コンクリートで充たすべきこの空間は小さくなる。したがって、コンクリート費用の増加を制限するには、上記辺の数を大きくすることが有益である。
【先行技術文献】
【特許文献】
【０００６】
【特許文献１】フランス国特許第１４５７６１７号明細書
【特許文献２】フランス国特許第２７３９６７５号明細書
【特許文献３】フランス国特許第２３９８９６１号明細書
【特許文献４】フランス国特許第２９１２３８５号明細書
【発明の概要】
【発明が解決しようとする課題】
【０００７】
底壁部の中央は、１以上の専用の構成部品によって覆われなければならない。辺の数が小さくなるほど矩形部材によって覆われない中央部分の面積と、底壁部全体の面積との比は小さくなる。それゆえ、（矩形部材によって覆われない）中央部分の表面積を制限するには、多角形部分の辺の数を抑えることが有利である。加えて、かかる場合には、矩形部材の数は接続片の数よりもはるかに大きくなり、有利である。
【０００８】
そのようなわけであるから、コンクリート製のベアリング構造のコストと、中央部分の面積と、の間で折り合いをつけることが必要であることが理解できるのであるが、完全に満足のいく妥協点に至ることは難しい。
【０００９】
本発明が解決しようとする課題の一つは、従来技術における前述した問題点の少なくとも幾つかをもたないようなタンクを提供することになる。特に、本発明の１つの目的は、限定的な量の材料を用いて、したがって限定的な費用をもってタンクのベアリング構造を製造することを可能とすることにある。
【課題を解決するための手段】
【００１０】
本発明が提案する解決手段は、ベアリング構造と、流体を密封する隔壁および／または断熱隔壁と、を有する流体密・断熱タンクにおいて、前記流体を密封する隔壁および／または前記断熱隔壁が、筒状形状とされていて、垂直壁部と、底壁部とを有し；前記垂直壁部が、複数の垂直パネルを有し；前記ベアリング構造が、前記垂直壁部を包囲しており；前記底壁部が、互いに対応する形状を有しつつ回転させた複数のセクタに配置された複数の矩形部材、を有し；前記複数のセクタのいずれかにおける前記複数の矩形部材の複数の端部が、前記複数の垂直パネルの１つに対して平行または垂直とされ；かつ、前記複数の垂直パネルの数が、前記複数のセクタの数の２倍とされていることを特徴とする流体密・断熱タンクに存する。
【００１１】
これらの特徴により、タンクはより多くの垂直パネルをもつことができ、かつ、より少ないセクタをもつことができる。したがって、ベアリング構造を製造するのに必要な原材料の量は過度に大きくならない。同様に、底壁部の中央部分の表面積は過度に大きくならず、また、底壁部の大部分は矩形部材で占められることができる。
【００１２】
好ましくは、前記複数のセクタが、それぞれ、対称面を有し、前記複数の垂直パネルとして、前記複数のセクタの１つとそれぞれ面しているとともに前記対応するセクタの前記対称面に対して対称に配置されている複数の第１のパネルが設けられている。
【００１３】
有利には、前記複数の垂直パネルとして、複数の第２のパネルがさらに設けられ、かつ、前記複数の第２のパネルが、それぞれ、２つの隣接したセクタにそれぞれ対応する前記複数の第１のパネルの間に配置されている。
【００１４】
一実施形態によれば、前記底壁部には、前記複数のセクタの１つにおける前記複数の矩形部材を前記複数の第２のパネルのうちの１つに接続するための、少なくとも１つの台形形状の構成部品が設けられている。
【００１５】
好ましくは、前記台形形状の構成部品は、前記隣接した第２のパネルに対して垂直に延在している複数のコルゲーション部を有している。
【００１６】
有利には、前記垂直壁部は、５６個の垂直パネルを有している。
【００１７】
以下の本発明の実施形態の記載によって、本発明はより一層理解されやすく、また、本発明の他の目的、詳細、特徴および利点はより一層明確に理解される。本発明の実施形態の記載は、添付の図面を参照しつつもっぱら説明を意図してなされたものであって、本発明の範囲を限定する趣旨のものではない。
【図面の簡単な説明】
【００１８】
【図１】本発明の一実施形態に係るタンクを上からみた部分断面図である。
【発明を実施するための形態】
【００１９】
図１に示すタンク１は、（Ａ）筒状の垂直壁部２と（Ｂ）底壁部３とを備えている。また、このタンク１には、コンクリートで構成された（Ｃ）ベアリング構造４が設けられている。図１は、タンク１の垂直壁部２を包囲するベアリング構造４における筒状部分を示した図である。
【００２０】
垂直壁部２および底壁部３は、それぞれ、タンクの内側からベアリング構造に向かって順に、流体を密封する一次隔壁と、断熱性一次隔壁と、流体を密封する二次隔壁と、断熱性二次隔壁とを有している。流体を密封する一次隔壁はコルゲーションを施された金属構成部品を用いて製造されている。断熱性一次隔壁、流体を密封する二次隔壁および断熱性二次隔壁は、ベアリング構造４に取り付けられたプレハブシートを用いて製造されている。
【００２１】
このタイプのタンクを製造するにあたっては、公知の技術を用いることができるので、以下、タンク１の形状と、流体を密封する一次隔壁を構成する金属構成部品群の配置構成と、について詳述することにする。
【００２２】
タンク１の底壁部３において、流体を密封する一次隔壁は、コルゲーション部７を有する複数の矩形部材５と複数の接続片６とを備えている。複数の矩形部材５は、複数のセクタ（扇形部分）に分布しており、この複数のセクタは、本明細書の導入部で引用した仏国特許第２，９１２，３８５号に記載されている配置構成と同様に、同一形状であって回転されている。図１では３つのセクタが図示されている。複数の接続片６は、隣接したセクタどうしを接合するための部品である。
【００２３】
垂直壁部２は、規則的な多角形状を有している。また、垂直壁部２は、垂直パネル８および垂直パネル８’を有している。図１の記載から理解できるように、垂直パネル８、８’の合計数は、底壁部３におけるセクタ数の２倍となる。
【００２４】
垂直パネル８は、底壁部３の各セクタに対応しかつ当該対応するセクタに面している。より具体的には、各セクタは、対称面を有しており、対応する垂直パネル８に対して対称的に配置されている。１つのセクタにおける複数の矩形部材５の端部は、それぞれ、対応する垂直パネル８に対して垂直または平行に配置されている。
【００２５】
これらの特徴的部分により、底壁部３の複数の矩形部材５とこれらに対応する垂直パネル８の流体を密封する一次隔壁との接続が非常に容易になる。例えば、図１に示すように、底壁部３は、矩形形状とされた端末片９を有しており、端末片は、複数の矩形部材５から延長されており、そのコルゲーション部７は垂直パネル８に対して垂直である。
【００２６】
２つの垂直パネル８は各別に２つの隣接したセクタに対応しており、かつ垂直パネル８’によって接続されている。図１の記載から理解できるように、垂直パネル８’は、２つの隣接したセクタの境界に面して存在している。各垂直パネル８’に隣接して、底壁部３は、２つの接合片１０と１つの連結片１１とを有している。
【００２７】
図１に示すように、各接合片１０は、実質的に台形形状を有している。接合片１０のコルゲーション部７は、垂直パネル８’に対して垂直であり、隣接した構成部品のそれと対応している。各連結片１１は、接続片６の形状と相似形状を有しており、また、適切な寸法を有している。連結片１１は、隣接した接続片６の中央のコルゲーション部７に連なるコルゲーション部７を有しているとともに垂直パネル８’に対して垂直である。
【００２８】
したがって、一方において、２つの隣接したセクタの複数の矩形部材５および複数の接続片６と、他方において、垂直パネル８’の流体を密封する隔壁との間の接続はより一層容易となる。
【００２９】
したがって、底壁部３において、流体を密封する一次隔壁は、複数種の構成部品を用いて製造されてもよいことに留意すべきである。前述した仏国特許第２９１２３８５号と比較すると、接合片１０のみが新たな形状を有している。しかしながら、この構成部品は、公知の技術を用いて容易に製造することができる。
【００３０】
加えて、同型式の金属構成部品を異なるサイズのタンクに用いることができる。サイズの異なるタンクを複数製造する場合にも、特定用途専用の構成部品を設計する必要がない。
【００３１】
タンク１の構造と、底壁部３の金属構成部品の配置構成との効用により、タンク１は、多数の垂直パネルとその半数のセクタとで構成されることができる。したがって、ベアリング構造４を製造するのに必要なコンクリート量が、過度に多くなるこということはなく、かつ、矩形部材５によって覆われることができない底壁部３の中央部の表面積もまた、過度に大きくならない。加えて、矩形部材５の点数は、接続片６の点数よりも顕著に大きい。
【００３２】
５６個の垂直パネルと２８個のセクタとを備えたタンク１は、例えば、この場合、底壁部３の大部分が複数の矩形部材５で覆われており、ベアリング構造４を製造するのに必要なコンクリート量が同様のサイズを有する円形の垂直壁部において必要な量のわずか７パーセント多いだけなので、特に有利である。
【００３３】
底壁部３の流体を密封する一次隔壁をなしている金属構成部品群の有利な配置構成の１つを以上説明したところであるが、断熱性一次隔壁、流体を密封する二次隔壁および断熱性二次隔壁をなすところのプレハブシートについては、同一の有利な配置構成を有することができる。
【００３４】
図１は、底壁部３上からみた断面を示した図であるが、底壁部３の断熱隔壁と垂直壁部２の断熱隔壁とを接続するコーナー構造の一部をなすコーナーブロック１２も示されている。
【００３５】
本発明は、特定の実施形態との関連において説明されてきたけれども、本発明がかかる特定の実施形態に限定されるものではないことは明らかであり、また、本発明の範囲に属するかぎりにおいて、記載された態様に対応する技術的等価物およびそれらの組み合せもまた含まれることは明らかである。
【符号の説明】
【００３６】
１    タンク
２    垂直壁部
３    底壁部
４    ベアリング構造
５    矩形部材
６    接続片
７    コルゲーション部
８    垂直パネル（第１の垂直パネル）
８’  垂直パネル（第２の垂直パネル）
１０  接合片
１１  連結片
１２  コーナーブロック
【図１】
2013508636.tif 000003
【国際調査報告】
2013508636.tif 000004
2013508636.tif 000005
2013508636.tif 000006
2013508636.tif 000007